(57)【特許請求の範囲】
【請求項１】
開閉自在の扉を備え、運転中には該扉を閉状態でロックさせ、運転停止後に該扉のロックを解除する食器洗浄機であって、
前記扉のロック及び解除を行う自己保持型の電磁弁と、該電磁弁に前記扉のロック方向及び解除方向に通電を行う通電手段と、前記扉がロックされたか否かを検出するロック検出手段と、供給される主電源の切断を検知する検知手段と、前記電磁弁に前記扉のロックを解除する方向に通電を行う蓄電手段とを備え、
前記通電手段は、運転スイッチがＯＮとなったときは前記ロック検出手段により前記扉のロックが確認されるまで前記扉をロックする方向に前記電磁弁に通電を行い、運転が終了すると前記ロック検出手段により前記扉のロック解除が確認されるまで前記扉のロックを解除する方向に前記電磁弁に通電を行い、
前記蓄電手段は、前記検知手段により主電源の切断を検知したときに前記扉のロックを解除する方向に前記電磁弁に通電を行うことを特徴とする食器洗浄機。
【請求項２】
前記蓄電手段が運転中に蓄電されるコンデンサを備えることを特徴とする請求項１に記載の食器洗浄機。
【発明の詳細な説明】
【０００１】
【発明の属する技術の分野】
本発明は、ロック式の扉を有する食器洗浄機に関する。
【０００２】
【従来の技術】
食器洗浄機は、運転中に扉を閉めた状態でロックし、不用意に扉が開かないようにしている。しかしながら、従来の食器洗浄機のように停電時において扉のロックを解除する機構を持たないものでは、その運転中に停電やコンセントの抜け等があった場合は、前記扉がロックされたままとなる。従って、停電時に洗浄機内の食器等を取り出そうとしても取り出すことはできなかった。
【０００３】
一方、特開２０００−５１２４号公報には、停電により扉がロックされた状態となったときに、所定箇所に精密ドライバー等の部材を差し込むことで扉のロックを解除できるようにした食器洗い機が開示されている。しかしながら、精密ドライバー等の部材は紛失することがあるため停電時に精密ドライバー等を探し出すことが困難な場合がある。また、日没後の暗い状況で停電が生じたときは、精密ドライバー等を所定箇所に差し込むことも困難な場合がある。また、手動で扉のロックを解除するための機構を必要とするので、扉の構成が複雑になるという不都合がある。
【０００４】
また、特開２０００−１４６２３号公報には、停電により扉がロックされた状態であっても、停電が復旧したときにロックの解除が行われる食器洗い機が提案されている。しかしながら、この場合は停電が復旧するまで内部の食器を取り出すことができないという不都合がある。
【０００５】
また、前記扉のロックを解除する方向に付勢するバネを備え、運転時、即ち扉のロック時には電磁弁に常に電流を流しておく電気機器が知られている。しかしながら、このように運転時に常に電磁弁に電流を流しておくと消費電力が多くなるという不都合がある。また、バネを付勢した状態で保持するためにはそれほど多くの電流を必要としないが、バネを付勢して扉のロックを行う際には大電流を必要とする。このため、ロック開始時とその後の電流を切り換えるための回路が必要となり、回路構成が複雑になるという不都合がある。
【０００６】
【発明が解決しようとする課題】
本発明は、ロック式の扉を有する食器洗浄機の改良を目的とし、さらに詳しくは前記不都合を解消するために、簡易な構成によって、食器洗浄機の運転中に停電等が生じた場合であっても停電の復旧を待たずに扉を開けることができる食器洗浄機を提供することを目的とする。
【０００７】
【課題を解決するための手段】
前記目的を達成するために、本発明の食器洗浄機は、開閉自在の扉を備え、運転中には該扉を閉状態でロックさせ、運転停止後に該扉のロックを解除する食器洗浄機であって、前記扉のロック及び解除を行う自己保持型の電磁弁と、該電磁弁に前記扉のロック方向及び解除方向に通電を行う通電手段と、前記扉がロックされたか否かを検出するロック検出手段と、供給される主電源の切断を検知する検知手段と、前記電磁弁に前記扉のロックを解除する方向に通電を行う蓄電手段とを備え、前記通電手段は、運転スイッチがＯＮとなったときは前記ロック検出手段により前記扉のロックが確認されるまで前記扉をロックする方向に前記電磁弁に通電を行い、運転が終了すると前記ロック検出手段により前記扉のロック解除が確認されるまで前記扉のロックを解除する方向に前記電磁弁に通電を行い、前記蓄電手段は、前記検知手段により主電源の切断を検知したときに前記扉のロックを解除する方向に前記電磁弁に通電を行うことを特徴とする。
【０００８】
本発明の食器洗浄機は、運転中に停電等により主電源が切断された場合、前記検知手段によって主電源の切断が検知され、前記蓄電手段から前記電磁弁に扉のロックを解除させる方向に通電がなされる。これにより、その運転中に停電等によって主電源が切断されたときには扉のロックが解除される。このように、停電等によって主電源が切断された場合であっても扉がロックされたままになることがないため、停電の復旧を待つことなく扉を開けることができる。
【０００９】
また、前記扉のロック及び解除を行う電磁弁として自己保持型の電磁弁を用いている。この自己保持型の電磁弁は、極性の異なる電流を加えることにより所定の方向に往復移動自在に形成されたプランジャを移動させるものであり、短時間の通電により一方向に移動してその状態で保持されるものである。このため、前記自己保持型電磁弁を用いることにより、短時間に通電するだけで前記扉をロック又は解除することができる。従って、食器洗浄機の運転時の消費電力を低減することができると共に、主電源が切断された際も前記蓄電手段からの短時間の通電で容易に前記扉のロックを解除することができる。このように、本発明の食器洗浄機は、前記扉のロックを解除するために特別な機構を必要とせず、前記蓄電手段のような簡易な構成で扉のロック解除を行うことができる。
【００１０】
また、前記蓄電手段は、運転中に蓄電されるコンデンサを備えることが好ましい。前記蓄電手段をコンデンサとすることにより、食器洗浄機の運転中に常に蓄電されているので、主電源の切断時には確実に前記電磁弁に解除方向の通電を行うことができる。また、扉のロック及び解除のための回路にコンデンサを組み込むことにより停電時の扉のロック解除を行うことができるので、簡易な回路構成とすることができる。
【００１１】
【発明の実施の形態】
次に、本発明の食器洗浄機の実施形態の一例について、図１乃至図５を参照して説明する。図１は扉がロックされた状態を示す説明的平面図、図２は図１のＩＩ−ＩＩ線断面図、図３は扉のロックが解除された状態を示す説明的平面図、図４は図３のＩＶ−ＩＶ線断面図、図５は扉のロック及び解除を行うための回路構成を示すブロック図である。
【００１２】
本実施形態の開閉式扉を有する食器洗浄機（電気機器）１は、本体２と、本体２の入口３の下部に軸支された開閉自在の扉４とを備えている。また、扉４の上部には扉４を開ける際にロックを解除するためのレバー５と、支点６を介してレバー５と一体に揺動するアーム７と、アーム７の先端部の上下動に対応して昇降する昇降部材８と、扉４に固定されて昇降部材８の昇降を案内する案内部材９とを備えている。昇降部材８は、その上端部から本体２に向かって係止部８ａが延設されており、この係止部８ａにはその表裏を貫通するスリット１０が設けられている。また、昇降部材８は、案内部材９に係止されたスプリング１１によって上方に付勢されている。
【００１３】
本体２の上部には、食器洗浄機１の運転中に扉４をロックするためのロックユニット１２が設けられている。ロックユニット１２は、ケース１２ａの内部に、自己保持型電磁弁であるラッチ型の電磁弁１３と、図１において左右方向に移動自在に配設されたロック部材１４と、電磁弁１３の前後の動きを支点１５を介してロック部材１４に伝えるＬ型リンク１６とを備えている。
【００１４】
電磁弁１３は、後述する電磁弁通電手段２３からの通電により、プランジャ１３ａを前後に移動させるものである。Ｌ型リンク１６は、その一端部がプランジャ１３ａにピン１７を介して係止されている。ロック部材１４には、図２に示すように、上方に向けて突出する凸部１４ａが設けられており、この凸部１４ａがＬ型リンク１６に設けられた長孔１６ａに遊嵌されている。また、Ｌ型リンク１６の他端部は板バネ１８によって支点１５の方向に付勢されており、この板バネ１８によってロック時及び解除時の状態に保持される。また、Ｌ型リンク１６の他端部側には、扉４がロックされた状態ではＯＮとなり、ロックが解除された状態ではＯＦＦとなるロック検出スイッチ１９が設けられている。また、ケース１２ａの前部には、昇降部材８の係止部８ａが出入りする出入口２０が設けられており、この出入口２０の上部には係止部８ａのスリット１０に係合して扉４をロックするための抑止板２１が設けられている。
【００１５】
次に、図５を参照して、本実施形態の食器洗浄機１において、扉４のロック及びその解除を行うコントローラ２２について説明する。本実施形態のコントローラ２２は、電磁弁１３にロック又は解除方向に通電する電磁弁通電手段２３と、食器洗浄機１に供給される主電源の切断を検知する停電検知手段２４と、食器洗浄機１の運転中に蓄電される蓄電手段２５とを備えている。
【００１６】
電磁弁通電手段２３は、食器洗浄機１の運転が開始されると、ロック検出スイッチ１９によって扉４のロックが確認されるまで扉４をロックさせるように電磁弁１３に電流を流すものである。また、食器洗浄機１の運転が終了したときには、ロック検出スイッチ１９によってロックの解除が確認されるまで扉４のロックを解除させるように電磁弁１３に電流を流すものである。このとき、電磁弁１３に供給される電流は約２００ｍＡ程度であり、供給時間も０．１秒程度である。停電検知手段２４は、食器洗浄機１に供給される主電源が切断された場合に蓄電手段２５に信号を送信するものである。また、蓄電手段２５は、コンデンサ２５ａを含む回路により構成されており、停電検知手段２４から主電源が切断された旨の信号を受け取ると、電磁弁通電手段２３にコンデンサ２５ａから電流を供給し、扉４のロックを解除する方向に電磁弁１３に通電させるものである。
【００１７】
上記構成を備えた本実施形態の食器洗浄機１は、扉４が閉じられた状態では、図１乃至図４に示すように、扉４の裏面から突出する昇降部材８の係止部８ａがロックユニット１２のケース１２ａに設けられた出入口２０から内部に進入している。また、図２に示すように、昇降部材８がスプリング１１によって上方に付勢されているため、係止部８ａに設けられたスリット１０に抑止板２１の先端部が係合している。
【００１８】
また、扉４がロックされた状態では、図１に示すように、電磁弁１３のプランジャ１３ａは電磁弁１３内に引き込まれた状態となっており、これに伴い、ロック部材１４はＬ型リンク１６によって図１及び図２において左側に移動されて保持されている。この状態では、図２に示すように、昇降部材８の係止部８ａの下方にロック部材１４が進出している。この状態で使用者が扉４を開けようとしてレバー５を押し下げようとすると、レバー５と一体となっているアーム７が支点６を中心として押し下げられようとする。しかしながら、アーム７と当接している昇降部材８は、係止部８ａの先端部がロック部材１４に当接して下降しないため、レバー５を押し上げることができない。このように、昇降部材８が下降しない場合は、係止部８ａのスリット１０から抑止板２１が外れないため、扉４を開けることができないようになっている。
【００１９】
一方、扉４のロックが解除された状態では、図３に示すように、電磁弁１３のプランジャ１３ａは電磁弁１３から突出した状態となっており、これに伴い、ロック部材１４はＬ型リンク１６によって図３及び図４において右側に移動されて保持されている。この状態では、図４に示すように、昇降部材８の係止部８ａの下方からロック部材１４が後退している。従って、使用者が扉４を開けようとしてレバー５を押し上げたときは、レバー５と一体となっているアーム７が支点６を中心として押し下げられ、アーム７に当接している昇降部材８もアーム７によって案内部材９に案内されて押し下げられる。このとき、ロック部材１４は、昇降部材８の係止部８ａの下方から移動されているので、昇降部材８はロック部材１４に当接することなくアーム７の動きに伴って下降する。このように、昇降部材８が下降すると係止部８ａに設けられているスリット１０から抑止板２１が外れるため、使用者は扉４を開けることができる。
【００２０】
次に、本実施形態の食器洗浄機１における扉４のロック及び解除の作動について説明する。本実施形態においては、食器洗浄機１の運転を行う際に扉４をロックし、運転終了時に扉４のロックを解除している。
【００２１】
使用者が食器洗浄機１の運転を行うために、扉４が閉じられた状態で図示しない運転スイッチをＯＮにすると、電磁弁通電手段２３から電磁弁１３に扉４をロックする方向に通電される。これにより、電磁弁１３のプランジャ１３ａが電磁弁１３内に引き込まれ、プランジャ１３ａに連結されているＬ型リンク１６によってロック部材１４が図１及び図２のように左側に押し出される。これにより、昇降部材８の係止部８ａの下方にロック部材１４が進出するので、昇降部材８の移動が抑制されて扉４がロックされる。また、Ｌ型リンク１６の端部によってロック検出スイッチ１９がＯＮになり、その信号が電磁弁通電手段２３に送信される。
【００２２】
食器洗浄機１の運転が終了すると、電磁弁通電手段２３から電磁弁１３に扉４のロックを解除する方向に通電される。これにより、電磁弁１３のプランジャ１３ａが電磁弁１３から突出し、Ｌ型リンク１６によってロック部材１４が図３及び図４のように右側に移動される。これにより、昇降部材８の係止部８ａの下方からロック部材１４が離反するので、昇降部材８の昇降が可能となり扉４のロックが解除される。
【００２３】
次に、本実施形態の食器洗浄機１の運転中に停電により主電源が切断された場合の作動について説明する。食器洗浄機１の運転中は、図１及び図２に示すように、ロック部材１４が昇降部材８の係止部８ａの下方に進出しており、扉４はロックされている。この状態で停電により主電源が切断されると、停電検知手段２４によって主電源の切断が検出された旨の信号が蓄電手段２５に送信される。蓄電手段２５では、停電検知手段２４からの主電源が切断された旨の信号を受け取ると、内蔵されたコンデンサ２５ａから電磁弁通電手段２３に通電を行う。このとき、電磁弁通電手段２３では、扉４のロックを解除する方向に電磁弁１３への通電を行う。これにより、電磁弁１３のプランジャ１３ａが電磁弁１３から突出し、Ｌ型リンク１６を介してロック部材１４が右側に移動し、図３及び図４に示すように扉４のロックの解除が行われる。
【００２４】
本実施形態の食器洗浄機１では、このように運転中に停電等により主電源が切断された場合であっても、自動的に扉４のロックが解除される。従って、使用者は扉４のロックを解除するための道具を必要とすることなく、また、停電の復旧を待つことなく必要に応じて食器洗浄機１内の食器を取り出すことができる。
【００２５】
また、本実施形態においてはラッチ型の電磁弁１３を用いているので、低電流で作動させることができるため１次側（１００Ｖ）の電源を用いる必要がない。従って、ロックユニット１２の絶縁が１次側電源を用いる場合に比べて容易となる。
【００２６】
尚、上記実施形態においては、蓄電手段２５においてコンデンサ２５ａを用いているが、停電時に電流を供給できるものであれば、コンデンサに限らず電池を用いてもよい。
【図面の簡単な説明】
【図１】扉がロックされた状態を示す説明的平面図。
【図２】図１のＩＩ−ＩＩ線断面図。
【図３】扉のロックが解除された状態を示す説明的平面図。
【図４】図３のＩＶ−ＩＶ線断面図。
【図５】扉のロック及び解除を行うための回路構成を示すブロック図。
【符号の説明】
１…食器洗浄機、４…扉、１３…電磁弁、２３…電磁弁通電手段、２４…停電検知手段、２５…蓄電手段。
【図１】
0004163371.tif 000002
【図２】
0004163371.tif 000003
【図３】
0004163371.tif 000004
【図４】
0004163371.tif 000005
【図５】
0004163371.tif 000006